(57)【要約】【課題】所望のアプリケーションプログラムに関する関連情報を入手可能な閲覧画面をユーザーが迅速に閲覧できるようにすることである。【解決手段】アプリケーションのプロパティ情報には、そのアプリケーションの公式サイトのＵＲＬが含まれている。そして、ユーザーは、所望のアプリケーションのマニュアルや攻略法の情報を入手しようとする場合、すでに入手済みのアプリケーションのプロパティ情報画面を表示させ、そこに表示されているリンク画像を選択すると、公式サイトを閲覧することができる。よって、ユーザーは、そのアプリケーションの公式サイトを検索したり、雑誌等で調べてそのＵＲＬを入力したりする煩雑な作業を行うことなく、その公式サイトを迅速に閲覧することができる。【選択図】  図１
2004341971.tif 000002
【特許請求の範囲】
【請求項１】
画像を表示する画像表示手段と、アプリケーションプログラムに付随するプロパティ情報中の設定データに従って該アプリケーションプログラムを実行するプログラム実行手段と、通信ネットワークを介して配信される閲覧画面の閲覧処理を実行する閲覧処理実行手段とを備えた移動体通信端末において、
上記プロパティ情報には、上記閲覧画面の配信元を特定するための配信元アドレスデータが含まれており、
上記画像表示手段は、該配信元アドレスデータに関連したアドレス関連画像を表示可能であり、
上記閲覧処理実行手段は、該画像表示手段に表示された該アドレス関連画像が選択されたとき、該配信元アドレスデータにより特定された配信元から配信される閲覧画面の閲覧処理を実行することを特徴とする移動体通信端末。
【請求項２】
請求項１の移動体通信端末において、
上記アドレス関連画像を、上記プロパティ情報中の各種データの内容を示すプロパティ情報画面中に表示したことを特徴とする移動体通信端末。
【請求項３】
請求項２の移動体通信端末において、
ユーザー操作に基づき、通信ネットワークを介して配信される閲覧画面の配信元を特定するための配信元アドレスデータを新規に登録する登録手段を有し、
上記画像表示手段は、該登録手段により登録された配信元アドレスデータに関連したアドレス関連画像を、上記プロパティ情報に含まれる配信元アドレスデータのアドレス関連画像とともに、上記プロパティ情報画面中に表示することを特徴とする移動体通信端末。
【請求項４】
画像を表示する画像表示手段と、アプリケーションプログラムに付随するプロパティ情報中の設定データに従って該アプリケーションプログラムを実行するプログラム実行手段と、通信ネットワークを介して配信される閲覧画面の閲覧処理を実行する閲覧処理実行手段とを備えた移動体通信端末において、
ユーザー操作に基づき、上記閲覧画面の配信元を特定するための配信元アドレスデータを登録する登録手段を有し、
上記画像表示手段は、該登録手段により登録された配信元アドレスデータに関連したアドレス関連画像を、上記プロパティ情報中の各種データの内容を示すプロパティ情報画面中に表示し、
上記閲覧処理実行手段は、該画像表示手段に表示された該アドレス関連画像が選択されたとき、該配信元アドレスデータにより特定された配信元から配信される閲覧画面の閲覧処理を実行することを特徴とする移動体通信端末。
【請求項５】
請求項１、２、３又は４の移動体通信端末において、
ユーザー操作に基づき、上記画像表示手段に表示される上記アドレス関連画像を変更する画像変更手段を設けたことを特徴とする移動体通信端末。
【請求項６】
請求項１の移動体通信端末のプログラム実行手段が実行可能なアプリケーションプログラムであって、該アプリケーションプログラムの設定データを含むプロパティ情報が付随するものを、該移動体通信端末に通信ネットワークを介して提供するプログラム提供用サーバであって、
上記プロパティ情報には、通信ネットワークを介して配信される閲覧画像の配信元を特定するための配信元アドレスデータが含まれていることを特徴とするプログラム提供用サーバ。
【請求項７】
請求項１、２又は３の移動体通信端末と、
該移動体通信端末のプログラム実行手段が実行可能なアプリケーションプログラムであって、該アプリケーションプログラムの設定データを含むプロパティ情報が付随するものを、該移動体通信端末に通信ネットワークを介して提供するプログラム提供用サーバと、
該移動体通信端末の閲覧処理部による閲覧処理により閲覧可能な閲覧画面を、通信ネットワークを介して配信する閲覧画面配信用サーバとを備えた移動体通信システムであって、
上記プログラム提供用サーバが提供するアプリケーションプログラムに付随するプロパティ情報には、上記閲覧画面の配信元である上記閲覧画面配信用サーバを特定するための配信元アドレスデータが含まれていることを特徴とする移動体通信システム。
【発明の詳細な説明】
【０００１】
【発明の属する技術分野】
本発明は、アプリケーションプログラムを実行可能な携帯電話機等の移動体通信端末、この移動体通信端末にアプリケーションプログラムを通信ネットワークを介して提供するプログラム提供用サーバ、及び、移動体通信システムに関するものである。
【０００２】
【従来の技術】
従来、この種の移動体通信端末として、プラットフォームに依存しないオブジェクト指向のプログラミング言語で記述されたアプリケーションプログラムを実行可能な携帯電話機が知られている。例えば、ＪＡＶＡ（サンマイクロシステムズ社の登録商標。以下、同様である。）仮想マシン機能を実装し、ＪＡＶＡで記述されたアプリケーションプログラムを実行できるようにした携帯電話機が知られている（特許文献１参照）。このような携帯電話機では、アプリケーションプログラムを実行することにより、携帯電話機のディスプレイ上に３次元動画からなる待ち受け画面を表示させたり、携帯電話機上でゲームや占いを行ったり、音楽を再生したりすることができる。
【０００３】
また、従来、携帯電話機等の移動体通信端末には、通信ネットワークを介して配信される閲覧画面（Ｗｅｂサイトの画面等）を閲覧する機能を備えたものがある（特許文献２参照）。この種の移動体通信端末では、通信ネットワーク上の閲覧画面を閲覧する場合、一般に、その閲覧画面の配信元を特定するための配信元アドレスデータであるＵＲＬ（Ｕｎｉｆｏｒｍ  Ｒｅｓｏｕｒｃｅ  Ｌｏｃａｔｏｒ）をユーザーが直接入力したり、予め登録しておいたＵＲＬを選択したりする。そして、ＵＲＬが入力又は選択されると、移動体通信端末が有する閲覧処理実行手段により、そのＵＲＬにより特定される配信元の閲覧画面配信用サーバ（Ｗｅｂサーバ等）から閲覧画面がダウンロードされ、その閲覧画面が移動体通信端末の画像表示手段に表示される。これにより、ユーザーは、通信ネットワークを介して配信される多数の閲覧画面の中から、所望の閲覧画面を閲覧することができる。
【０００４】
近年、上述したＪＡＶＡで記述されたアプリケーションプログラムを実行可能な携帯電話機のほとんどに、通信ネットワーク上の閲覧画面を閲覧する機能が備わっている。このような携帯電話機であれば、ユーザーは、通信ネットワークを介して閲覧画面を閲覧することで、そのアプリケーションプログラムに関する関連情報を入手することが可能である。例えば、ゲーム（アプリケーションプログラム）のマニュアルや攻略法（関連情報）を入手したり、閲覧画面からアプリケーションプログラムにより再生される音楽コンテンツ（関連情報）を入手したりすることが可能となる。
【０００５】
【特許文献１】
特開２０００−３４７８６７号公報
【特許文献２】
特開２０００−１９６７８４号公報（第２頁左欄）
【０００６】
【発明が解決しようとする課題】
ところが、所望のアプリケーションプログラムに関する関連情報を入手すべく、その関連情報を入手可能な閲覧画面を閲覧しようとするユーザーは、一般に、上記携帯電話機を用いて、通信ネットワーク上からその閲覧画面を検索してそのＵＲＬを調べるという煩雑な作業を行う必要がある。また、所望のアプリケーションプログラムに関する関連情報が掲載された閲覧画面のＵＲＬを雑誌などで調べる場合にも、ユーザーは、その調べる作業に労力を要し、しかも調べたＵＲＬを携帯電話機に入力する作業も必要となる。そのため、従来の携帯電話機においては、ユーザーが所望するアプリケーションプログラムに係る関連情報を入手可能な閲覧画面のＵＲＬを速やかに入手することができず、ユーザーはその閲覧画面を迅速に閲覧することができないという問題があった。
【０００７】
また、従来の携帯電話機においては、ユーザーが雑誌などで調べて携帯電話機に入力したＵＲＬや通信ネットワーク上で検索したＵＲＬを、携帯電話機に記憶しておくことができる。この場合、ユーザーは、次回以降の閲覧時には、その記憶したＵＲＬに関するアドレス関連画像（ＵＲＬの文字列画像等）を一覧表示させ、その中から、所望のアプリケーションプログラムに関連する閲覧画面のアドレス関連画像を選択すれば、そのＵＲＬの検索や入力をあらためて行うことなく、そのアプリケーションプログラムに関連する閲覧画面を閲覧することができる。しかし、複数のアプリケーションプログラムにそれぞれ関連するＵＲＬが記憶されている場合、ユーザーは、その一覧表示の中のどのアドレス関連画像がどのアプリケーションプログラムに関するものなのかをすぐに認識できないことがある。そのため、従来の携帯電話機においては、ユーザーが所望するアプリケーションプログラムに係る関連情報を入手可能な閲覧画面のアドレス関連画像の選択を迷ってしまい、ユーザーがその閲覧画面を迅速に閲覧することができないことがあるという問題があった。
【０００８】
本発明は、上記問題に鑑みなされたものであり、その目的とするところは、所望のアプリケーションプログラムに関する関連情報を入手可能な閲覧画面を、ユーザーが迅速に閲覧することが可能となる移動体通信端末、プログラム提供用サーバ及び移動体通信システムを提供することである。
【０００９】
【課題を解決するための手段】
上記目的を達成するために、請求項１の発明は、画像を表示する画像表示手段と、アプリケーションプログラムに付随するプロパティ情報中の設定データに従って該アプリケーションプログラムを実行するプログラム実行手段と、通信ネットワークを介して配信される閲覧画面の閲覧処理を実行する閲覧処理実行手段とを備えた移動体通信端末において、上記プロパティ情報には、上記閲覧画面の配信元を特定するための配信元アドレスデータが含まれており、上記画像表示手段は、該配信元アドレスデータに関連したアドレス関連画像を表示可能であり、上記閲覧処理実行手段は、該画像表示手段に表示された該アドレス関連画像が選択されたとき、該配信元アドレスデータにより特定された配信元から配信される閲覧画面の閲覧処理を実行することを特徴とするものである。
この移動体通信端末においては、閲覧処理実行手段により通信ネットワークを介して配信される閲覧画面の閲覧処理を実行することができる。また、プログラム実行手段は、アプリケーションプログラムに付随するプロパティ情報中の設定データに従い、アプリケーションプログラムを実行する。「設定データ」とは、プログラム実行手段がアプリケーションプログラムを実行前又は実行中に、そのアプリケーションプログラムに適した処理動作をするためにプログラム実行手段が参照するデータである。本移動体通信端末においては、上記プロパティ情報に、閲覧画面の配信元を特定するための配信元アドレスデータ（ＩＰアドレス、ＵＲＬ、アンカー等）が含まれており、この配信元アドレスデータに関連したアドレス関連画像は、画像表示手段に表示される。このアドレス関連画像としては、配信元アドレスデータの文字列や配信元の名前（Ｗｅｂサイト名等）を示す文字画像、絵や写真等の画像（アイコン画像等）などが挙げられる。そして、このようなアドレス関連画像が選択されると、閲覧処理実行手段により、その配信元アドレスデータにより特定された配信元から配信される閲覧画面の閲覧処理が実行される。よって、アプリケーションプログラムに付随するプロパティ情報中に含まれる配信元アドレスデータを、そのアプリケーションプログラムに関する関連情報を入手可能な閲覧画面の配信元アドレスデータにしておけば、ユーザーは、画像表示手段に表示されるアドレス関連画像を選択するだけで、その閲覧画面を閲覧することができる。
そして、本移動体通信端末においては、アプリケーションプログラムに係る閲覧画面の配信元アドレスデータは、そのアプリケーションプログラムの取得時に一緒に取得するプロパティ情報に含まれている。したがって、ユーザーは、そのアプリケーションプログラムに係る閲覧画面の配信元アドレスデータを入手すべく、通信ネットワーク上で検索したり、雑誌等で配信元アドレスデータを調べてこれを入力したりする煩雑な作業を行う必要がなくなる。
また、プロパティ情報は、一般に、アプリケーションプログラムの開発者がアプリケーションプログラムごとに個別に用意するものである。よって、各アプリケーションプログラムの開発者が意図する、そのアプリケーションプログラムの公式Ｗｅｂページ等の配信元アドレスデータをプロパティ情報に含ませることができる。したがって、アプリケーションプログラムの開発者が意図する適切な閲覧画面を、ユーザーに閲覧させることができる。
【００１０】
また、請求項２の発明は、請求項１の移動体通信端末において、上記アドレス関連画像を、上記プロパティ情報中の各種データの内容を示すプロパティ情報画面中に表示したことを特徴とするものである。
上記請求項１の移動体通信端末においては、アプリケーションプログラムが複数存在する場合、これらのプロパティ情報中の各配信元アドレスデータのアドレス関連画像を一覧表示させ、その中からユーザーが所望するアプリケーションプログラムに係る閲覧画面に関するものを選択させるように構成することも可能である。しかし、その一覧表示において、ユーザーが関連情報の入手を希望するアプリケーションプログラムと、その関連情報に関わるアドレス関連画像との関係が不明な場合、ユーザーは、選択の際に、所望するアプリケーションプログラムに対応するアドレス関連画像が一覧表示中のどれなのか、迷ってしまうことがある。
そこで、本請求項２の移動体通信端末においては、上述したように、ユーザーが所望するアプリケーションプログラムに対応するアドレス関連画像を、そのアプリケーションプログラムのプロパティ情報画面に表示させる。一般に、プロパティ情報画面は、アプリケーションプログラムのメニュー画面を表示させてそのメニュー画面から選択するなど、各アプリケーションプログラムに関連した操作を行うことにより、アプリケーションプログラムごとに個別に表示されるものである。よって、本移動体通信端末では、プロパティ情報に含まれる配信元アドレスデータのアドレス関連画像は、他のアプリケーションプログラムのプロパティ情報に含まれる配信元アドレスデータのアドレス関連画像とは一緒に一覧表示されない。よって、ユーザーは、自分が所望するアプリケーションプログラムと、その関連情報に関わるアドレス関連画像との関係を明確に把握することができる。したがって、ユーザーは、迷うことなく、自分が所望するアプリケーションプログラムに対応するアドレス関連画像を選択できる。
【００１１】
また、請求項３の発明は、請求項２の移動体通信端末において、ユーザー操作に基づき、通信ネットワークを介して配信される閲覧画面の配信元を特定するための配信元アドレスデータを新規に登録する登録手段を有し、上記画像表示手段は、該登録手段により登録された配信元アドレスデータに関連したアドレス関連画像を、上記プロパティ情報に含まれる配信元アドレスデータのアドレス関連画像とともに、上記プロパティ情報画面中に表示することを特徴とするものである。
上述したように、プロパティ情報中に含まれている配信元アドレスデータは、一般に、アプリケーションプログラムの開発者が意図する閲覧画面に係るものである。しかし、このような開発者が意図する閲覧画面以外でも、そのアプリケーションプログラムに関して有用な情報を入手可能な閲覧画面が存在することがある。また、アプリケーションプログラムの開発後に、有用な情報を入手可能な閲覧画面が作成されることもある。このような閲覧画面は、予めプロパティ情報に含ませておくことができない。
そこで、本移動体通信端末においては、ユーザーが独自に調べた閲覧画面の配信元アドレスデータを新規に登録することができ、この配信元アドレスデータのアドレス関連画像もプロパティ情報画面中に表示させる。したがって、ユーザーは、その閲覧画面の配信元アドレスデータを一度調べてこれを登録しておけば、その後は、その閲覧画面を簡単に閲覧することができる。しかも、本移動体通信端末によれば、ユーザーが登録した配信元アドレスデータのアドレス関連画像は、プロパティ情報に含まれる配信元アドレスデータのアドレス関連画像と同様に、関連するアプリケーションプログラムのプロパティ情報画面に表示される。よって、ユーザーは、自分が登録した配信元アドレスデータのアドレス関連画像についても、迷うことなく選択することができる。
【００１２】
また、請求項４の発明は、画像を表示する画像表示手段と、アプリケーションプログラムに付随するプロパティ情報中の設定データに従って該アプリケーションプログラムを実行するプログラム実行手段と、通信ネットワークを介して配信される閲覧画面の閲覧処理を実行する閲覧処理実行手段とを備えた移動体通信端末において、ユーザー操作に基づき、上記閲覧画面の配信元を特定するための配信元アドレスデータを登録する登録手段を有し、上記画像表示手段は、該登録手段により登録された配信元アドレスデータに関連したアドレス関連画像を、上記プロパティ情報中の各種データの内容を示すプロパティ情報画面中に表示し、上記閲覧処理実行手段は、該画像表示手段に表示された該アドレス関連画像が選択されたとき、該配信元アドレスデータにより特定された配信元から配信される閲覧画面の閲覧処理を実行することを特徴とするものである。
この移動体通信端末においては、ユーザーが独自に調べるなどして得た配信元アドレスデータを登録することができ、その配信元アドレスデータのアドレス関連画像を、アプリケーションプログラムのプロパティ情報画面に表示させる。よって、ユーザーが登録した配信元アドレスデータのアドレス関連画像を、その配信元から配信される閲覧画面で入手可能な情報に関するアプリケーションプログラムのプロパティ情報画面に表示させれば、ユーザーは、その閲覧画面の配信元アドレスデータを一度調べてこれを登録しておけば、その後は、その閲覧画面を簡単に閲覧することができる。しかも、本移動体通信端末によれば、ユーザーが登録した配信元アドレスデータのアドレス関連画像は、関連するアプリケーションプログラムのプロパティ情報画面に表示される。よって、ユーザーは、自分が登録した配信元アドレスデータのアドレス関連画像について、上述した請求項３の移動体通信端末と同様に、迷うことなく選択することができる。
【００１３】
また、請求項５の発明は、請求項１、２、３又は４の移動体通信端末において、ユーザー操作に基づき、上記画像表示手段に表示される上記アドレス関連画像を変更する画像変更手段を設けたことを特徴とするものである。
この移動体通信端末においては、画像表示手段に表示される配信元アドレスデータのアドレス関連画像を、ユーザーが希望する画像に変更することができる。これにより、例えばそのアドレス関連画像を見ればユーザーがすぐにそのアドレス関連画像に係る閲覧画面を把握できるようなアドレス関連画像に変更することが可能となるなど、ユーザーの利便性を向上させることが可能となる。
【００１４】
また、請求項６の発明は、請求項１の移動体通信端末のプログラム実行手段が実行可能なアプリケーションプログラムであって、該アプリケーションプログラムの設定データを含むプロパティ情報が付随するものを、該移動体通信端末に通信ネットワークを介して提供するプログラム提供用サーバであって、上記プロパティ情報には、通信ネットワークを介して配信される閲覧画像の配信元を特定するための配信元アドレスデータが含まれていることを特徴とするものである。
このプログラム提供用サーバにおいては、通信ネットワークを介して配信される閲覧画像の配信元を特定するための配信元アドレスデータが含まれたプロパティ情報が付随するアプリケーションプログラムを、通信ネットワークを介して請求項１の移動体通信端末に提供することができる。よって、本プログラム提供用サーバにより提供されるアプリケーションプログラムを上述した請求項１の移動体通信端末が取得することで、その移動体通信端末のユーザーは、そのアプリケーションプログラムに係る閲覧画面の配信元アドレスデータを入手すべく、通信ネットワーク上で検索したり、雑誌等で配信元アドレスデータを調べてこれを入力したりする煩雑な作業を行う必要がなくなる。また、アプリケーションプログラムの開発者が意図する適切な閲覧画面をユーザーに閲覧させることもできる。
【００１５】
また、請求項７の発明は、請求項１、２又は３の移動体通信端末と、該移動体通信端末のプログラム実行手段が実行可能なアプリケーションプログラムであって、該アプリケーションプログラムの設定データを含むプロパティ情報が付随するものを、該移動体通信端末に通信ネットワークを介して提供するプログラム提供用サーバと、該移動体通信端末の閲覧処理部による閲覧処理により閲覧可能な閲覧画面を、通信ネットワークを介して配信する閲覧画面配信用サーバとを備えた移動体通信システムであって、上記プログラム提供用サーバが提供するアプリケーションプログラムに付随するプロパティ情報には、上記閲覧画面の配信元である上記閲覧画面配信用サーバを特定するための配信元アドレスデータが含まれていることを特徴とするものである。
この移動体通信システムにおいては、通信ネットワークを介して配信される閲覧画像の配信元を特定するための配信元アドレスデータが含まれたプロパティ情報が付随するアプリケーションプログラムを、通信ネットワークを介して請求項１乃至３のいずれかの移動体通信端末に提供することができる。よって、請求項１乃至３の移動体通信端末について上述したように、その移動体通信端末のユーザーは、そのアプリケーションプログラムに係る閲覧画面の配信元アドレスデータを入手すべく、通信ネットワーク上で検索したり、雑誌等で配信元アドレスデータを調べてこれを入力したりする煩雑な作業を行う必要がなくなる。また、アプリケーションプログラムの開発者が意図する適切な閲覧画面をユーザーに閲覧させることもできる。
【００１６】
なお、上記「移動体通信端末」としては、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式、ＴＩＡ（Ｔｅｌｅｃｏｍｍｕｎｉｃａｔｉｏｎｓ  Ｉｎｄｕｓｔｒｙ  Ａｓｓｏｃｉａｔｉｏｎ）方式等の携帯電話機、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００で標準化された携帯電話機、ＰＨＳ（Ｐｅｒｓｏｎａｌ  Ｈａｎｄｙｐｈｏｎｅ  Ｓｅｒｖｉｃｅ）、自動車電話機等の電話機のうち、アプリケーションプログラム実行可能なものが挙げられる。また、この「移動体通信端末」としては、上記電話機のほか、電話機能を有しないＰＤＡ（Ｐｅｒｓｏｎａｌ  Ｄｉｇｉｔａｌ  Ａｓｓｉｓｔａｎｃｅ）等の移動型の移動体通信端末も挙げられる。
【００１７】
【発明の実施の形態】
〔実施形態１〕
以下、本発明の一実施形態（以下、本実施形態を「実施形態１」という。）を図面を参照しながら説明する。
図２は、本実施形態に係る移動体通信システムの全体構成を説明するための説明図である。
この移動体通信システムにおいて、ユーザー１が使用する移動体通信端末としての携帯電話機２０は、プラットフォームに依存しないオブジェクト指向プログラミングによって開発されたアプリケーションプログラムを実行可能な構成を有している。このアプリケーションプログラムとしては、ＪＡＶＡで記述されたアプリケーションプログラムなどが挙げられる。この携帯電話機２０は、通信ネットワークとしての携帯電話通信網１０に接続可能である。また、この携帯電話通信網１０には、プログラム提供用サーバとしてのアプリケーションプログラムダウンロードサーバ（以下、「ダウンロードサーバ」という。）１１と、閲覧画面配信用サーバとしてのＷｅｂサーバ１２がそれぞれ接続されている。なお、これら２つのサーバを単一のサーバで構成してもよい。ダウンロードサーバ１１は、携帯電話機２０からのダウンロード要求を受け付けると、その要求に係るアプリケーションプログラムを携帯電話機２０に対して送信する。また、Ｗｅｂサーバ１２は、携帯電話機２０からの閲覧要求を受け付けると、その要求に係る閲覧画面であるＷｅｂページ画面を携帯電話機２０に対して送信する。
【００１８】
ダウンロードサーバ１１から提供されるアプリケーションプログラムは、アプリケーションプログラムの開発元２から提供される。具体的には、例えば、アプリケーションプログラム開発元２側のパーソナルコンピュータ等から、専用回線や公衆回線を介してダウンロードサーバ１１にアップロードして提供する。なお、開発したアプリケーションプログラムを記録した光ディスクや磁気ディスク等の記録媒体を、アプリケーションプログラム開発元２からダウンロードサーバ１１を管理・運営する通信事業者に送り、その記録媒体内のアプリケーションプログラムをダウンロードサーバ１１で読み取るようにして、提供してもよい。このようにして提供されたアプリケーションプログラムは、携帯電話機２０から携帯電話通信網１０を介してダウンロード可能な状態でダウンロードサーバ１１に登録される。
【００１９】
図３は、上記ダウンロードサーバ１１及び上記Ｗｅｂサーバ１２のハードウェア構成を示す概略構成図である。
これらのダウンロードサーバ１１及びＷｅｂサーバ１２は、互いに同様の構成を有し、システムバス１００、ＣＰＵ１０１、内部記憶装置、外部記憶装置１０４、入力装置１０５及び出力装置１０６を備えている。上記内部記憶装置は、ＲＡＭ１０２やＲＯＭ１０３等で構成されている。上記外部記憶装置は、ハードディスクドライブ（ＨＤＤ）や光ディスクドライブ等で構成されている。上記入力装置１０５は、外部記憶装置１０４、マウスやキーボード等で構成されている。上記出力装置１０６は、ディスプレイやプリンタ等で構成されている。更に、これらのサーバ１１，１２は、携帯電話通信網１０を介して各ユーザー１の携帯電話機２０と通信するための携帯電話用通信装置１０７を備えている。
上記ＣＰＵ１０１やＲＡＭ１０２等の構成要素は、システムバス１００を介して、互いにデータやプログラムの命令等のやり取りを行っている。これらのサーバ１１，１２を所定の手順に従って動作させるためのプログラムは、ＲＯＭ１０３や外部記憶装置１０４に記憶されており、必要に応じてＣＰＵ１０１やＲＡＭ１０２上の作業エリアに呼び出されて実行される。また、ダウンロードサーバ１１においては、携帯電話機２０に提供するアプリケーションプログラムが外部記憶装置１０４に記憶されている。一方、Ｗｅｂサーバ１２においては、携帯電話機２０に配信するＷｅｂページ画面のデータが外部記憶装置１０４に記憶されている。
また、これらのサーバ１１，１２は、互いに異なる構成を有する専用の制御装置として構成してもいいし、汎用のコンピュータシステムを用いて構成してもよい。また、各サーバ１１，１２は、１台のコンピュータで構成してもいいし、複数の機能をそれぞれ受け持つ複数台のコンピュータをネットワークで結んで構成してもよい。
【００２０】
ダウンロードサーバ１１は、携帯電話機２０からのダウンロード要求に応じ、ＣＰＵ１０１、ＲＡＭ１０２、携帯電話通信網用通信装置１０７等が協働して、外部記憶装置１０４に記憶されているアプリケーションプログラムを、携帯電話通信網１０を介して携帯電話機２０に送信する機能を有している。一方、Ｗｅｂサーバ１２は、携帯電話機２０からの閲覧要求に応じ、ＣＰＵ１０１、ＲＡＭ１０２、携帯電話通信網用通信装置１０７等が協働して、外部記憶装置１０４に記憶されているＷｅｂページ画面のデータを、携帯電話通信網１０を介して携帯電話機２０に送信する機能を有している。
【００２１】
図４は、上記携帯電話機２０の外観図であり、図５は、その携帯電話機２０のハードウェア構成を示す概略構成図である。
この携帯電話機２０は、システムバス２００、ＣＰＵ２０１、ＲＡＭ２０２やＲＯＭ２０３等からなる内部制御装置、入力装置２０４、出力装置２０５、携帯電話用通信装置２０６を備えている。ＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６等から構成されている。上記出力装置２０５は、画像表示手段である液晶ディスプレイ（ＬＣＤ）２７、スピーカ２８等から構成されている。上記携帯電話用通信装置２０６は、携帯電話通信網１０を介して他の携帯電話機や上述したサーバ１１，１２と通信するためのものである。
【００２２】
図６は、上記携帯電話機２０の主要部を抽出して示したブロック図であり、図７は、その携帯電話機２０におけるソフトウェア構造の説明図である。
この携帯電話機２０は、電話通信部２１１、データ通信部２１２、操作部２１３、プログラム実行手段としてのアプリケーションプログラム実行管理部２１４、主制御部２１５、出力部２１６、閲覧処理実行手段としての閲覧処理部２１７等を備えている。
【００２３】
上記電話通信部２１１は、他の携帯電話機や固定電話機と電話通信を行うために、携帯電話通信網１０の基地局と無線通信を行うものであり、上述のハードウェア構成上の携帯電話用通信装置２０６等に対応する。
【００２４】
上記データ通信部２１２は、上記電話通信部２１１と同様に、上述のハードウェア構成上の携帯電話用通信装置２０６等に対応する。このデータ通信部２１２は、携帯電話機通信網１０を介して他の携帯電話機とメールのやり取りを行ったり、携帯電話機通信網１０からゲートウェイサーバを介して、インターネット等の外部の通信ネットワークに接続し、インターネット上での電子メールのやり取りや、Ｗｅｂサーバ１２が配信しているＷｅｂページの閲覧等を行ったりするためのものである。このデータ通信部２１２は、Ｗｅｂサーバ１２が配信しているＷｅｂページから、上記ダウンロードサーバ１１が提供するアプリケーションプログラムに関する関連情報である音楽データ、画像データ等の関連コンテンツをダウンロードするときにも用いられる。また、このデータ通信部２１２は、携帯電話機通信網１０を介して、ダウンロードサーバ１１が提供するアプリケーションプログラムをダウンロードするためにも用いられる。
【００２５】
上記操作部２１３は、ユーザー１が操作可能な上述のテンキー２１、通話開始キー２２、終話キー２３等で構成されている。この操作部２１３を操作することにより、ユーザーは、携帯電話機２０に対してＵＲＬ等のデータを入力したり、電話着信の際に通話の開始及び終了を行ったり、アプリケーションプログラムの選択、起動及び停止を行ったりすることができる。また、ユーザーは操作部２１３を操作することにより、上記ダウンロードサーバ１１からアプリケーションプログラムをダウンロードしたり、上記Ｗｅｂサーバ１２から配信されるＷｅｂページを閲覧したりすることもできる。
【００２６】
上記アプリケーションプログラム実行管理部２１４は、上述のシステムバス２００、ＣＰＵ２０１やＲＡＭ２０２等で構成されている。このアプリケーションプログラム実行管理部２１４は、図７のソフトウェア構造上において中央の「プログラム実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。
ここで、アプリケーションプログラムは、クラスライブラリＡＰＩ（アプリケーションインターフェース）を介して上記プログラム実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで保持される。
また、プログラム実行環境内の実行環境管理ライブラリは、電話機プラットフォームＡＰＩを介して後述の電話機プラットフォーム内の電話機プラットフォームライブラリを呼び出して使用できるようになっている。
【００２７】
上記主制御部２１５は、上記電話通信部２１１、データ通信部２１２、操作部２１３を制御するものであり、上述のシステムバス２００、ＣＰＵ２０１やＲＡＭ２０２等で構成されている。この主制御部２１５は、アプリケーションプログラム実行管理部２１４及び閲覧処理部２１７との間で制御命令や各種データのやりとりを行い、これらと協働して制御を行う。また、主制御部２１５は、図７のソフトウェア構造上において最下部の「電話機プラットフォーム」にあり、上記電話通信部２１１等を制御するための制御用プログラムやユーザインターフェースを実行したり、電話機プラットフォームライブラリを提供したりする。この電話機プラットフォームは、上記プログラム実行環境内の実行環境管理ライブラリに対してイベントを送ることによりアプリケーションプログラムにおいて各種処理を実行したり、アプリケーション管理ＡＰＩを介して上記プログラム実行環境内のアプリケーション管理のソフトウェアを呼び出して使用したりできるようになっている。
【００２８】
上記出力部２１６は、上述の液晶ディスプレイ２７やスピーカ２８等からなる出力装置２０５等で構成されている。この出力部２１６は、上記データ通信部２１２で受信したＷｅｂページ画面を液晶ディスプレイ２７に表示する。また、この出力部２１６は、上記電話通信部２１１やデータ通信部２１２で情報を着信した旨をユーザーに報知するときにも用いられる。具体的には、その情報を着信すると、主制御部２１５により、出力部２１６の液晶ディスプレイ２７に着信報知画像を表示したり、スピーカ２８から着信音を出力させたりする。更に、この出力部２１６は、上記ゲーム等のアプリケーションプログラムの実行中に、そのプログラム実行に関連した画像の表示や音の出力にも用いられる。
【００２９】
上記閲覧処理部２１７は、上述のシステムバス２００、ＣＰＵ２０１やＲＡＭ２０２等で構成されている。この閲覧処理部２１７は、いわゆるブラウザとしての機能を果たし、データ通信部２１２を介してＷｅｂサーバ１２に閲覧要求を出力し、その要求に係るＷｅｂページ画面のデータを取得し、主制御部２１５を介して、そのＷｅｂページ画面を出力部２１６の液晶ディスプレイ２７に表示させる。また、閲覧処理部２１７は、図７のソフトウェア構造上において最下部の「電話機プラットフォーム」にあり、上記データ通信部２１１を制御するための制御用プログラムやユーザインターフェースを実行する。
【００３０】
携帯電話機２０を所定の手順に従って動作させる電話機プラットフォームを構築するための制御用プログラムは、ＲＡＭ２０２やＲＯＭ２０３に記憶されている。また、基本ＯＳ（オペレーティングシステム）のプログラムや、上記プログラム実行環境を構築するためのプログラム及びアプリケーションプログラムも、ＲＡＭ２０２やＲＯＭ２０３に記憶されている。そして、これらのプログラムは、必要に応じてＣＰＵ２０１やＲＡＭ２０２中の作業エリアに呼び出されて実行される。
【００３１】
上記構成の携帯電話機２０において、ダウンロードサーバ１１からアプリケーションプログラムをダウンロードするときは、ユーザー１は、操作部２１３のキーを操作して、ダウンロードサーバ１１にアクセスする。これにより、ダウンロード可能なアプリケーションプログラムを選択するためのダウンロード選択画面が液晶ディスプレイ２７上に表示される。そして、そのダウンロード選択画面において、ユーザーが希望するアプリケーションプログラムをスクロールキー２４を用いて選択し、多機能キー２５を押下すると、主制御部２１５がデータ通信部２１２を制御して、そのアプリケーションプログラムをダウンロードサーバ１１からダウンロードする。
具体的に説明すると、本実施形態１において、アプリケーションプログラムは、プロパティ情報であるＪＡＤファイル（テキストデータ）とプログラム本体であるＪＡＲファイル（バイナリデータ）とからなる。ＪＡＤファイルには、アプリケーション名、アプリケーションのバージョン、アプリケーションのベンダー名、ＪＡＲファイルが保存されているＵＲＬデータなどの基本データのほか、当該アプリケーションプログラムが認証済みのものか、当該アプリケーションプログラムがネットワークに接続した状態で使用されるものか、当該アプリケーションプログラムが常駐型のものであるかなどの設定データが含まれている。また、このＪＡＤファイルには、当該アプリケーションプログラムに関する関連情報を公開している公式ＷｅｂページのＵＲＬ（配信元アドレスデータ）も含まれている。そして、上記ダウンロード選択画面においてユーザーが希望するアプリケーションプログラムが選択されると、主制御部２１５がデータ通信部２１２を制御して、まず、アプリケーションプログラムのうちＪＡＤファイルだけをダウンロードする。その後、主制御部２１５は、そのＪＡＤファイルの中から、ＪＡＲファイルが保存されているＵＲＬデータを読み出し、そのＵＲＬにアクセスし、ＪＡＲファイルをダウンロードする。このようにしてダウンロードされたＪＡＤファイル及びＪＡＲファイルからなるアプリケーションプログラムは、主制御部２１５により、ＲＡＭ１０２に記憶される。
【００３２】
このようにしてダウンロードしたアプリケーションプログラムを実行する場合、ユーザー１は、操作部２１３のキーを操作して、実行するアプリケーションプログラムを選択するためのアプリケーション選択画面を液晶ディスプレイ２７上に表示させる。そして、そのアプリケーション選択画面において、ユーザーが希望するアプリケーションプログラムをスクロールキー２４を用いて選択し、多機能キー２５を押下すると、上記アプリケーションプログラム実行管理部２１４は、ＪＡＲファイルを読み出してアプリケーションプログラムを起動する。このとき、必要に応じて、ＪＡＤファイルの設定データを参照し、その設定データに従った処理動作を行う環境を設定する。また、アプリケーションプログラム実行中に特定の処理動作を行う際、その処理動作に関するＪＡＤファイルの設定データを参照し、そのアプリケーションプログラムに適した処理動作を行うようにする。アプリケーションプログラムとしては、操作部２１３の各種キーを操作してゲーム等を楽しむアプリケーションプログラムのほか、液晶ディスプレイ２７上に３次元動画からなる待ち受け画面を表示させたりする常駐型のアプリケーションプログラムなど、あらゆるアプリケーションプログラムが含まれる。
【００３３】
また、上記構成の携帯電話機２０においてＷｅｂページ画面を閲覧するときは、ユーザー１は、操作部２１３のキーを操作して、ＵＲＬを入力したり、ブックマークに登録されたＵＲＬを選択したりした後、多機能キー２５を押下すると、閲覧処理部２１７は、主制御部を介してデータ通信部２１２を制御することで、そのＵＲＬにより特定されるＷｅｂサーバ１２からＷｅｂページ画面のデータをダウンロードし、そのＷｅｂページ画面を主制御部２１５を介して出力部２１６の液晶ディスプレイ２７上に表示させる。
【００３４】
次に、本発明の特徴部分である、ユーザーが所望するアプリケーションプログラムの関連情報を入手する際の動作について説明する。なお、以下の説明では、ゲームに関するアプリケーションプログラムのマニュアルや攻略法（関連情報）を、そのアプリケーションプログラムの公式Ｗｅｂページから入手する場合を例に挙げて説明する。
図１は、本実施形態１における、ユーザーがマニュアルや攻略法を入手したい対象のアプリケーションプログラムに関するマニュアルや攻略法を入手する際の流れを示すフローチャートである。
ユーザーは、対象のアプリケーションプログラムをダウンロードサーバ１１からダウンロードしたり、そのアプリケーションプログラムが予め登録された携帯電話機１０を購入したりして、対象のアプリケーションプログラムを取得する（Ｓ１）。この対象のアプリケーションプログラムのマニュアルや攻略法を入手しようとする場合、まず、通常のアプリケーションプログラムを起動させる場合と同じ操作で、アプリケーション選択画面を表示させる（Ｓ２）。このアプリケーション選択画面では、ユーザーは所定の操作を行うことで、各アプリケーションプログラムについてのメニュー画面を表示させることができる。ここで、ユーザーは、対象のアプリケーションプログラムについてのメニュー画面を表示させる（Ｓ３）。このメニュー画面には、そのアプリケーションプログラムを削除したり、そのアプリケーションプログラムのプロパティ情報画面を表示したりするための項目が一覧表示されている。ここで、ユーザーは、プロパティ情報画面を表示させる項目を選択すると、液晶ディスプレイ２７には、対象のアプリケーションプログラムのプロパティ情報画面が表示される（Ｓ４）。
【００３５】
プロパティ情報画面には、プロパティ情報中の基本データ及び設定データの内容の一部が表示され、その設定データ中の公式ＷｅｂページのＵＲＬにリンクしたアドレス関連画像も表示される。例えば「ウェブへ」という文字がアドレス関連画像として表示される。そして、このプロパティ情報画面において、ユーザーがこのアドレス関連画像をスクロールキー２４を用いて選び、多機能キー２５を押下して選択すると（Ｓ５）、ブラウザが自動で起動する（Ｓ６）。そして、上述した通常の閲覧処理と同様に、閲覧処理部２１７がその公式Ｗｅｂページの画面データをダウンロードし、その公式Ｗｅｂページの画面が主制御部２１５を介して出力部２１６の液晶ディスプレイ２７上に表示される（Ｓ７）。
【００３６】
以上、本実施形態１によれば、ユーザーは、対象のアプリケーションプログラムのマニュアルや攻略法の情報を入手しようとする場合、すでに入手済みのアプリケーションプログラムのプロパティ情報画面を表示させてアドレス関連画像を選択するという簡単な作業を行うだけで、その公式Ｗｅｂページを閲覧することができる。したがって、ユーザーは、そのアプリケーションプログラムの公式Ｗｅｂページを検索したり、雑誌等で調べてそのＵＲＬを入力したりする煩雑な作業を行うことなく、その公式Ｗｅｂページを迅速に閲覧することができる。一方、対象のアプリケーションプログラムを開発した開発元２から見れば、ユーザーが公式Ｗｅｂページを迅速に閲覧できるようになることで、その公式Ｗｅｂページのアクセス数を増加させるなどの効果も期待できる。更に、その開発元２が意図するＷｅｂページをユーザーに閲覧させることができるため、アプリケーションプログラム提供後、ユーザーに対して開発元２が意図するサービスを適切に提供することも可能となる。例えば、アプリケーションプログラムのバージョンアップ情報や不具合情報などを提供するサービス、ゲームのハイスコアラーランキングなどのサービスを適切に提供することが可能となる。
なお、本実施形態１においては、アプリケーションプログラムのプロパティ情報に含まれるＵＲＬのアドレス関連画像を、そのアプリケーションプログラムのプロパティ情報画面に表示させる場合を例に挙げたが、他の画面に表示させても同様の効果を得ることができる。例えば、複数のアプリケーションプログラムの各プロパティ情報に含まれるＵＲＬのアドレス関連画像を一覧表示する一覧画面を用意し、この一覧画面をアプリケーション選択画面から表示できるようにする。この場合、所望のＷｅｂページ画面を表示させるまでに必要となるユーザーの操作手順が上記実施形態１に比べて少なくできる点で、より迅速に所望のＷｅｂページ画面を閲覧することができる。
【００３７】
〔実施形態２〕
次に、本発明の他の実施形態（以下、本実施形態を「実施形態２」という。）について説明する。
本実施形態２においては、対象のアプリケーションプログラムのマニュアルや攻略法を掲載したＷｅｂページについて、ユーザーが自ら調べて得たそのＷｅｂページのＵＲＬを、そのアプリケーションプログラムのプロパティ情報画面に表示させ、上記実施形態１の場合と同様に、そのＷｅｂページを迅速に閲覧できるようにする。なお、本実施形態２における移動体通信システム並びにこのシステムを構成するダウンロードサーバ１１、Ｗｅｂサーバ１２及び携帯電話機２０の構成は、上記実施形態１と同様であるので、その説明は省略する。
【００３８】
図８は、本実施形態２における携帯電話機２０の主要部を抽出して示したブロック図である。
図９は、本実施形態２における、対象のアプリケーションプログラムに関するマニュアルや攻略法を入手する際の流れを示すフローチャートである。
ユーザーは、対象のアプリケーションプログラムのマニュアルや攻略法等を掲載したＷｅｂページを、携帯電話通信網１０上又はインターネット上で検索したり、雑誌等で調べたりして、そのＵＲＬを取得しておく（Ｓ１１）。そして、所定の操作を行うことにより、登録手段としての登録処理部２１８は、そのＵＲＬが対象のアプリケーションプログラムのプロパティ情報画面に表示されるようにＵＲＬ登録処理を行う（Ｓ１２）。なお、この登録処理部２１８は、上述のシステムバス２００、ＣＰＵ２０１やＲＡＭ２０２等で構成されている。また、この登録処理部２１８は、図７のソフトウェア構造上において最下部の「電話機プラットフォーム」にある。
【００３９】
上記ＵＲＬ登録処理の具体的な手順について、例えば次のようになる。
まず、登録処理部２１８は、出力部２１６の液晶ディスプレイ２７にＵＲＬ登録画面を表示させる。このＵＲＬ登録画面には、アプリケーション選択画面と同様に、本携帯電話機２０に保存されているアプリケーションプログラムの一覧が表示される。このＵＲＬ登録画面において、ユーザは、上記Ｓ１１で取得したＵＲＬに関連するアプリケーションをスクロールキー２４を用いて選択し、多機能キー２５を押下する。すると、登録処理部２１８は、そのアプリケーションプログラムのプロパティ情報画面の所定の画面領域にそのＵＲＬのアドレス関連画像が表示されるように、そのアプリケーションプログラムに関連づけた状態で、そのＵＲＬをＲＡＭ２０２のユーザーエリアに記憶する。
【００４０】
その後、ユーザーは、登録したＵＲＬのＷｅｂページ画面を閲覧して対象のアプリケーションプログラムのマニュアルや攻略法を入手しようとする場合、上記実施形態１の場合と同様の操作を行う。すなわち、ユーザーは、通常のアプリケーションプログラムを起動させる場合と同じ操作で、アプリケーション選択画面を表示させ（Ｓ１３）、対象のアプリケーションプログラムについてのメニュー画面を表示させる（Ｓ１４）。そして、ユーザーは、対象のアプリケーションプログラムのプロパティ情報画面を表示させる（Ｓ１５）。
【００４１】
このプロパティ情報画面の表示処理において、本実施形態２では、対象のアプリケーションプログラムに関連付けされてＲＡＭ２０２に登録されたＵＲＬを読み出し、これをプロパティ情報画面中の所定の画面領域に表示されている「ウェブへ」という文字画像にリンクさせる。これにより、プロパティ情報画面には、プロパティ情報中の基本データ及び設定データの内容の一部が表示されるとともに、ユーザーが登録したＵＲＬのアドレス関連画像が表示される。そして、上記実施形態１の場合と同様に、そのアドレス関連画像を選択すると（Ｓ１６）、ブラウザが自動で起動し（Ｓ１７）、ユーザーが登録したＵＲＬのＷｅｂページの画面が出力部２１６の液晶ディスプレイ２７上に表示される（Ｓ１８）。
【００４２】
以上、本実施形態２によれば、ユーザーは、自ら調べて登録したＷｅｂページから対象のアプリケーションプログラムのマニュアルや攻略法の情報を入手しようとする場合、そのアプリケーションプログラムのプロパティ情報画面を表示させてアドレス関連画像を選択するという簡単な作業を行うだけで、そのＷｅｂページを閲覧することができる。しかも、プロパティ情報画面は、アプリケーションプログラムごとに個別に表示されるものであるため、登録したＵＲＬのアドレス関連画像が、他のＵＲＬのアドレス関連画像とは一緒に一覧表示されない。よって、本実施形態２によれば、ユーザーは、対象のアプリケーションプログラムと、そのマニュアルや攻略法に関わるアドレス関連画像との関係を明確に把握することができるので、迷うことなく目的のＷｅｂページを迅速に閲覧することができる。
また、本実施形態２では、対象のアプリケーションプログラムを開発した開発元２の意図に関係なく、各ユーザーにとって有用なＷｅｂページを迅速に閲覧できるようになるので、ユーザーの要望に個別に対応することができる。
なお、本実施形態２の構成を上記実施形態１の構成に追加すれば、対象のアプリケーションプログラムを開発した開発元２の意図するＷｅｂページと、各ユーザーにとって有用なＷｅｂページの両方を迅速に閲覧できるようになる。
【００４３】
なお、上述した実施形態１及び２では、ＪＡＶＡ等のプログラム言語を用いたプラットフォームに依存しないオブジェクト指向のプログラミングで開発されたアプリケーションプログラムを実行できる携帯電話機について説明したが、本発明は、携帯電話機で実行するアプリケーションプログラムの種類に限定されることなく適用でき、同様な効果が得られるものである。
また、本発明は、アプリケーションプログラムを実行可能で、かつ、通信ネットワーク上で配信されている閲覧画面を閲覧可能なものであれば、ＰＨＳ、自動車電話機等の電話機のほか、携帯型のＰＤＡの場合についても適用でき、同様な効果が得られるものである。
【００４４】
【発明の効果】
請求項１乃至３並びに５及び６の発明によれば、所望のアプリケーションプログラムに係る閲覧画面の配信元アドレスデータを入手すべく、通信ネットワーク上で検索したり、雑誌等で配信元アドレスデータを調べてこれを入力したりする煩雑な作業を行う必要がなくなるので、ユーザーは、所望のアプリケーションプログラムに関する関連情報を入手可能な閲覧画面を迅速に閲覧することが可能となるという優れた効果がある。更に、アプリケーションプログラムの開発者が意図する適切な閲覧画面をユーザーに閲覧させることができるので、そのアプリケーションプログラム提供後のサービスを充実させることができるという優れた効果もある。
特に、請求項２の発明によれば、ユーザーは、迷うことなく、自分が所望するアプリケーションプログラムに対応するアドレス関連画像を選択できるので、より迅速に、所望のアプリケーションプログラムに関する関連情報を入手可能な閲覧画面を閲覧することが可能となるという優れた効果がある。
また、請求項３の発明によれば、ユーザーは、自分が登録した配信元アドレスデータのアドレス関連画像についても、迷うことなく選択でき、その閲覧画面も迅速に閲覧することが可能となるという優れた効果がある。
また、請求項４の発明によれば、ユーザーは、自分が登録した配信元アドレスデータのアドレス関連画像について、迷うことなく選択でき、その閲覧画面も迅速に閲覧することが可能となるという優れた効果がある。
【図面の簡単な説明】
【図１】本発明の実施形態１に係る移動体通信システムにおいて、ユーザーが所望するアプリケーションプログラムに関するマニュアルや攻略法を入手する際の流れを示すフローチャート。
【図２】同移動体通信システムの全体構成を説明するための説明図。
【図３】同移動体通信システムを構成するダウンロードサーバ及びＷｅｂサーバのハードウェア構成を示す概略構成図。
【図４】同移動体通信システムを構成する携帯電話機の外観図。
【図５】同携帯電話機のハードウェア構成を示す概略構成図。
【図６】同携帯電話機の主要部を抽出して示したブロック図。
【図７】同携帯電話機におけるソフトウェア構造の説明図。
【図８】本発明の実施形態２における携帯電話機の主要部を抽出して示したブロック図。
【図９】同実施形態２において、ユーザーが所望するアプリケーションプログラムに関するマニュアルや攻略法を入手する際の流れを示すフローチャート。
【符号の説明】
１０    携帯電話通信網
１１    ダウンロードサーバ
１２    Ｗｅｂサーバ
２０    携帯電話機
２１２  データ通信部
２１３  操作部
２１４  アプリケーションプログラム実行管理部
２１５  主制御部
２１６  出力部
２１７  閲覧処理部
２１８  登録処理部
【図１】
2004341971.tif 000003
【図２】
2004341971.tif 000004
【図３】
2004341971.tif 000005
【図４】
2004341971.tif 000006
【図５】
2004341971.tif 000007
【図６】
2004341971.tif 000008
【図７】
2004341971.tif 000009
【図８】
2004341971.tif 000010
【図９】
2004341971.tif 000011